(57)【特許請求の範囲】
【請求項１】
電解液を含浸させたコンデンサ素子と、前記コンデンサ素子を収容するケースと、前記コンデンサ素子に導通する外部陽極端子および外部陰極端子と、を備えた電気二重層コンデンサであって、
前記コンデンサ素子は、陽極体、セパレータおよび陰極体を積層して巻回したものであり、
前記陽極体は、第１陽極集電体と、前記第１陽極集電体の一面に対して一面側が接触する第２陽極集電体と、前記外部陽極端子に導通する複数の陽極集電タブ対と、を含んでおり、
前記複数の陽極集電タブ対は、少なくとも第１の陽極集電タブ対および第２の陽極集電タブ対を含んでおり、
前記第１の陽極集電タブ対は、
（Ｉ）第１の第１陽極集電タブと、
（ＩＩ）第１の第２陽極集電タブと、を有しており、
前記第２の陽極集電タブ対は、
（ＩＩＩ）第２の第１陽極集電タブと、
（ＩＶ）第２の第２陽極集電タブと、を有しており、
前記（Ｉ）の集電タブおよび前記（ＩＩＩ）の集電タブは、前記第１陽極集電体の前記一面に固定されており、
前記（ＩＩ）の集電タブは、前記陽極体の非巻回状態において前記（Ｉ）の集電タブとは位置ずれし、前記第２陽極集電体の前記一面に固定されており、
前記（ＩＶ）の集電タブは、前記陽極体の非巻回状態において前記（ＩＩＩ）の集電タブとは位置ずれし、前記第２陽極集電体の前記一面に固定されており、
前記陰極体は、第１陰極集電体と、前記第１陰極集電体の一面に対して一面側が接触する第２陰極集電体と、前記外部陰極端子に導通する複数の陰極集電タブ対と、を含んでおり、
前記複数の陰極集電タブ対は、少なくとも第１の陰極集電タブ対および第２の陰極集電タブ対を含んでおり、
前記第１の陰極集電タブ対は、
（Ｖ）第１の第１陰極集電タブと、
（ＶＩ）第１の第２陰極集電タブと、を有しており、
前記第２の陰極集電タブ対は、
（ＶＩＩ）第２の第１陰極集電タブと、
（ＶＩＩＩ）第２の第２陰極集電タブと、を有しており、
前記（Ｖ）の集電タブおよび前記（ＶＩＩ）の集電タブは、前記第１陰極集電体の前記一面に固定されており、
前記（ＶＩ）の集電タブは、前記陰極体の非巻回状態において前記（Ｖ）の集電タブとは位置ずれし、前記第２陰極集電体の前記一面に固定されており、
前記（ＶＩＩＩ）の集電タブは、前記陰極体の非巻回状態において前記（ＶＩＩ）の集電タブとは位置ずれし、前記第２陰極集電体の前記一面に固定されている、ことを特徴とする、電気二重層コンデンサ。
【請求項２】
前記（Ｉ）の集電タブと前記（ＩＩ）の集電タブとは、前記第２陽極集電体、前記セパレータ、前記第１陰極集電体、前記第２陰極集電体および前記第１陽極集電体を介した状態で離間しており、
前記（ＩＩＩ）の集電タブと前記（ＩＶ）の集電タブとは、前記第２陽極集電体、前記セパレータ、前記第１陰極集電体、前記第２陰極集電体および前記第１陽極集電体を介した状態で離間しており、
前記（Ｖ）の集電タブと前記（ＶＩ）の集電タブとは、前記第２陰極集電体、前記セパレータ、前記第１陽極集電体、前記第２陽極集電体および前記第１陰極集電体を介した状態で離間しており、
前記（ＶＩＩ）の集電タブと前記（ＶＩＩＩ）の集電タブとは、前記第２陰極集電体、前記セパレータ、前記第１陽極集電体、前記第２陽極集電体および前記第１陰極集電体を介した状態で離間している、ことを特徴とする、請求項１に記載の電気二重層コンデンサ。
【請求項３】
前記陽極体の非巻回状態において、前記（Ｉ）の集電タブと前記（ＩＩＩ）の集電タブとの間に、前記（ＩＩ）の集電タブまたは前記（ＩＶ）の集電タブが位置しており、
前記陰極体の非巻回状態において、前記（Ｖ）の集電タブと前記（ＶＩＩ）の集電タブとの間に、前記（ＶＩ）の集電タブまたは前記（ＶＩＩＩ）の集電タブが位置している、請求項１または請求項２に記載の電気二重層コンデンサ。
【請求項４】
前記（Ｉ）の集電タブおよび前記（ＩＩＩ）の集電タブは、前記第１陽極集電体に固定されている一方で前記第２陽極集電体に接触し、
前記（ＩＩ）の集電タブおよび前記（ＩＶ）の集電タブは、前記第２陽極集電体に固定されている一方で前記第１陽極集電体に接触しており、
前記（Ｖ）の集電タブおよび前記（ＶＩＩ）の集電タブは、前記第１陰極集電体に固定されている一方で前記第２陰極集電体に接触し、
前記（ＶＩ）の集電タブおよび前記（ＶＩＩＩ）の集電タブは、前記第２陰極集電体に固定されている一方で前記第１陰極集電体に接触している、請求項１ないし請求項３のいずれかに記載の電気二重層コンデンサ。
【発明の詳細な説明】
【技術分野】
【０００１】
本発明は、各種電子機器に利用される電気二重層コンデンサに関するものである。
【背景技術】
【０００２】
電気二重層コンデンサは、固体電極と電解質溶液のように２つの異なる相が接触する界面に、正、負の電荷が非常に短い距離で配列した層（電気二重層）が形成される現象を蓄電に利用した蓄電デバイスである。この電気二重層コンデンサは、数十ミリファラッドから数千ファラッド以上の非常に大きな静電容量を有し、充放電サイクル特性（寿命）や急速充放電にすぐれた特徴をもっている。そのため、電気二重層コンデンサは、機器の電源ＯＦＦ時のリアルタイムクロックやメモリＩＣの動作を保持するための電力供給源としてのバックアップ電源、あるいは機器のアクチュエータ・モーター等の起動・運転時の電力のアシスト・供給用電源として使用されている。
【０００３】
図９および図１０に示したように、電気二重層コンデンサＹは、電解液を含浸させたコンデンサ素子８をケース９０に収容し、ケース９０の上部開口９１を絶縁部材９２で封止した構造を有している。
【０００４】
図１１および図１２（ａ）からわかるように、コンデンサ素子８は、陽極体８０、セパレータ８１、陰極体８２およびセパレータ８３をこの順序で積層した状態で円筒状に巻回された構造を有している。陽極体８０は、分極性電極層８６Ａ，８７Ａが形成された２枚の陽極集電体８４Ａ，８５Ａを、これらの陽極集電体８４Ａ，８５Ａにおける分極性電極層８６Ａ，８７Ａが形成されていない面どうしを接触させた構成を有している。陰極体８２は、陽極体８０と同様に、分極性電極層８６Ｂ，８７Ｂが形成された２枚の陰極集電体８４Ｂ，８５Ｂを互いに接触させた構成を有している。
【０００５】
図１０および図１２（ｂ）に示したように、陽極体８０は、絶縁部材９２に固定された外部端子９３Ａと、陽極集電体８４Ａ，８５Ａとの間の導通を図るための陽極タブ８８Ａ，８９Ａをさらに有している。陽極タブ８８Ａ，８９Ａは、陽極集電体８４Ａ，８５Ａにおける分極性電極層８６Ａ，８７Ａが形成されていない面に取り付けられている。
【０００６】
図１０および図１２（ｃ）に示したように、陰極体８２は、陽極体８０と同様に、絶縁部材９２に固定された外部端子９３Ｂと、陰極集電体８４Ｂ，８５Ｂとの間の導通を図るための陰極タブ８８Ｂ，８９Ｂをさらに有している。陰極タブ８８Ｂ，８９Ｂは、陰極集電体８４Ｂ，８５Ｂにおける分極性電極層８６Ｂ，８７Ｂが形成されていない面に取り付けられている。
【０００７】
図１２（ｂ）、図１２（ｃ）および図１３に示したように、陽極タブ８８Ａ，８９Ａあるいは陰極タブ８８Ｂ，８９Ｂどうしは、位置ずれすることなく対応した位置関係において、互いに接触して対をなしている(例えば特許文献１参照)。
【０００８】
コンデンサ素子８においては、タブ８８Ａ，８８Ｂ，８９Ａ，８９Ｂの枚数が多いほど集電ポイントが増加して内部抵抗が低減されるため、タブ８８Ａ，８８Ｂ，８９Ａ，８９Ｂの枚数は多いほうが好ましい。そのため、図９、図１０、図１２（ｂ）および図１２（ｃ）に示したように、陽極体８０および陰極体８２のそれぞれにおいて、複数のタブ８８Ａ，８８Ｂ，８９Ａ，８９Ｂを備えたコンデンサ素子８もある(例えば特許文献２参照)。その一方で、タブ８８Ａ，８８Ｂ，８９Ａ，８９Ｂどうしが位置ずれすることなく接触する構成では、タブ８８Ａ，８８Ｂ，８９Ａ，８９Ｂの枚数が多くなると、図１３から理解できるようにタブ８８Ａ，８８Ｂ，８９Ａ，８９Ｂの厚みの影響でコンデンサ素子８が真円で無くなってしまうため、取り付けられるタブ８８Ａ，８８Ｂ，８９Ａ，８９Ｂの枚数には制限があった。たとえば、集電体として厚みが２０〜５０μｍ程度の金属箔、タブとして１００〜２００μｍ程度のものを用いたコンデンサ素子８では、タブ８８Ａ，８８Ｂ，８９Ａ，８９Ｂのペア数は、小型のデバイス（φ３５）で片極２つ（片極合計４本のタブ）程度、φ５１以上のデバイスになると、片極４つ（片極合計８本のタブ）程度となる。
【０００９】
また、タブ８８Ａ，８８Ｂ，８９Ａ，８９Ｂどうしが位置ずれすることなく接触する構成では、２枚分のタブ８８Ａ，８８Ｂ，８９Ａ，８９Ｂの厚みが一箇所に集中するため、陽極体８０や陰極体８２、セパレータ８１，８３にも大きなストレスがかかってしまうという問題があった。
【先行技術文献】
【特許文献】
【００１０】
【特許文献１】特開２００５−０９３８５９号公報
【特許文献２】特開２００８−０９１５８５号公報
【発明の概要】
【発明が解決しようとする課題】
【００１１】
本発明は、陽極体や陰極体、セパレータに大きなストレスをかけることなく、内部抵抗を低減できる電気二重層コンデンサを提供することを課題としている。
【課題を解決するための手段】
【００１２】
本発明の第１の形態に係る電気二重層コンデンサは、電解液を含浸させたコンデンサ素子と、前記コンデンサ素子を収容するケースと、前記コンデンサ素子に導通する外部陽極端子および外部陰極端子と、を備えた電気二重層コンデンサであって、前記コンデンサ素子は、陽極体、セパレータおよび陰極体を積層して巻回したものであり、前記陽極体は、第１陽極集電体と、前記第１陽極集電体の一面に対して一面側が接触する第２陽極集電体と、前記外部陽極端子に導通する複数の陽極集電タブ対と、を含んでおり、前記複数の陽極集電タブ対は、少なくとも第１の陽極集電タブ対および第２の陽極集電タブ対を含んでおり、前記第１の陽極集電タブ対は、（Ｉ）第１の第１陽極集電タブと、（ＩＩ）第１の第２陽極集電タブと、を有しており、前記第２の陽極集電タブ対は、（ＩＩＩ）第２の第１陽極集電タブと、（ＩＶ）第２の第２陽極集電タブと、を有しており、前記（Ｉ）の集電タブおよび前記（ＩＩＩ）の集電タブは、前記第１陽極集電体の前記一面に固定されており、前記（ＩＩ）の集電タブは、前記陽極体の非巻回状態において前記（Ｉ）の集電タブとは位置ずれし、前記第２陽極集電体の前記一面に固定されており、前記（ＩＶ）の集電タブは、前記陽極体の非巻回状態において前記（ＩＩＩ）の集電タブとは位置ずれし、前記第２陽極集電体の前記一面に固定されており、前記陰極体は、第１陰極集電体と、前記第１陰極集電体の一面に対して一面側が接触する第２陰極集電体と、前記外部陰極端子に導通する複数の陰極集電タブ対と、を含んでおり、前記複数の陰極集電タブ対は、少なくとも第１の陰極集電タブ対および第２の陰極集電タブ対を含んでおり、前記第１の陰極集電タブ対は、（Ｖ）第１の第１陰極集電タブと、（ＶＩ）第１の第２陰極集電タブと、を有しており、前記第２の陰極集電タブ対は、（ＶＩＩ）第２の第１陰極集電タブと、 （ＶＩＩＩ）第２の第２陰極集電タブと、を有しており、前記（Ｖ）の集電タブおよび前記（ＶＩＩ）の集電タブは、前記第１陰極集電体の前記一面に固定されており、前記（ＶＩ）の集電タブは、前記陰極体の非巻回状態において前記（Ｖ）の集電タブとは位置ずれし、前記第２陰極集電体の前記一面に固定されており、前記（ＶＩＩＩ）の集電タブは、前記陰極体の非巻回状態において前記（ＶＩＩ）の集電タブとは位置ずれし、前記第２陰極集電体の前記一面に固定されている、ことを特徴としている。
【００１３】
本発明の第１の形態では、陽極体および陰極体の非巻回状態において、第１陽極集電タブと第２陽極集電タブとが位置ずれし、第１陰極集電タブと第２陰極集電タブとが位置ずれしている。そのため、陽極体および陰極体の巻回状態において、対をなす第１陽極集電タブと第２陽極集電タブとの集電ポイントが一箇所に集中することなく分散し、また対をなす第１陰極集電タブと第２陰極集電タブとの集電ポイントも一箇所に集中することなく分散させることができる。したがって、本発明の第１の形態では、集電ポイントを分散させることによって、充放電時における集電体による内部抵抗を低減することができる。また、陽極体および陰極体の非巻回状態において、対をなす陽極集電タブどうし、対をなす陰極集電タブどうしが位置ずれしているため、陽極体および陰極体の巻回状態において、集電タブにおける陽極体および陰極体に対する固定部分が、互いに接触した状態で重なり合うことはない。したがって、本発明の第１の形態では、集電タブにおける陽極体および陰極体に対する固定部分において、一箇所にかかるストレスがタブ一枚分の厚みになるため、従来のように対をなす第１陽極集電タブと第２陽極集電タブとが同一箇所において接触した状態で重なり合い、あるいは対をなす第１陰極集電タブと第２陰極集電タブとが同一箇所において接触した状態で重なり合う場合に比べて、陽極体や陰極体、セパレータにかかるストレスを軽減することができる。
【００１４】
本発明の第２の形態に係る電気二重層コンデンサは、第１の形態に係る電気二重層コンデンサであって、前記（Ｉ）の集電タブと前記（ＩＩ）の集電タブとは、前記第２陽極集電体、前記セパレータ、前記第１陰極集電体、前記第２陰極集電体および前記第１陽極集電体を介した状態で離間しており、前記（ＩＩＩ）の集電タブと前記（ＩＶ）の集電タブとは、前記第２陽極集電体、前記セパレータ、前記第１陰極集電体、前記第２陰極集電体および前記第１陽極集電体を介した状態で離間しており、前記（Ｖ）の集電タブと前記（ＶＩ）の集電タブとは、前記第２陰極集電体、前記セパレータ、前記第１陽極集電体、前記第２陽極集電体および前記第１陰極集電体を介した状態で離間しており、前記（ＶＩＩ）の集電タブと前記（ＶＩＩＩ）の集電タブとは、前記第２陰極集電体、前記セパレータ、前記第１陽極集電体、前記第２陽極集電体および前記第１陰極集電体を介した状態で離間している、ことを特徴としている。
【００１５】
本発明の第２の形態では、対をなす陽極集電タブどうし、および対をなす陰極集電タブどうしが互いに接触することなく離間している。そのため、各陽極集電タブと陽極集電体との陽極集電ポイントを分散させ、また各陰極集電タブと陰極集電体との集電ポイントを分散させることができる。したがって、本発明の第２の形態では、本発明の第１の形態と同様に、充放電時における集電体による内部抵抗を低減することができる。また、本発明の第２の形態では、対をなす陰極集電タブどうしが互いに接触することなく離間しているため、一箇所にかかるストレスがタブ一枚分の厚みになる。その結果、従来のように対をなす集電タブどうしが同一箇所において接触した状態で重なり合う場合に比べて、陽極体や陰極体、セパレータにかかるストレスを軽減することができる。
【００１６】
本発明の好ましい形態においては、前記陽極体の非巻回状態において、前記（Ｉ）の集電タブと前記（ＩＩＩ）の集電タブとの間に、前記（ＩＩ）の集電タブまたは前記（ＩＶ）の集電タブが位置しており、前記陰極体の非巻回状態において、前記（Ｖ）の集電タブと前記（ＶＩＩ）の集電タブとの間に、前記（ＶＩ）の集電タブまたは前記（ＶＩＩＩ）の集電タブが位置している。
【００１７】
このような構成によれば、全てのタブが適度な間隔を保って配置されるため、隣接するタブ間における集電体での周方向の距離を適切化することができる。そのため、隣接するタブ間における集電体による内部抵抗を適切に小さくすることが可能となる。
【００１８】
本発明の他の好ましい形態においては、前記（Ｉ）の集電タブおよび前記（ＩＩＩ）の集電タブは、前記第１陽極集電体に固定されている一方で前記第２陽極集電体に接触し、前記（ＩＩ）の集電タブおよび前記（ＩＶ）の集電タブは、前記第２陽極集電体に固定されている一方で前記第１陽極集電体に接触しており、前記（Ｖ）の集電タブおよび前記（ＶＩＩ）の集電タブは、前記第１陰極集電体に固定されている一方で前記第２陰極集電体に接触し、前記（ＶＩ）の集電タブおよび前記（ＶＩＩＩ）の集電タブは、前記第２陰極集電体に固定されている一方で前記第１陰極集電体に接触している。
【００１９】
このような構成では、各陽極集電タブが第１および第２陽極集電体の双方に導通し、各陰極集電タブが第１および第２陰極集電体の双方に導通している。そのため、各集電タブは、２つの集電体に対して導電経路を確保することができるため、内部抵抗を低減することができる。
【発明の効果】
【００２０】
本発明では、電気二重層コンデンサにおいて、陽極体や陰極体、セパレータに大きなストレスをかけることなく、内部抵抗を低減することができる。
【図面の簡単な説明】
【００２１】
【図１】本発明に係る電気二重層コンデンサを、一部を破断して示した斜視図である。
【図２】図１に示した電気二重層コンデンサの分解斜視図である。
【図３】図１に示した電気二重層コンデンサの断面図である。
【図４】図１に示した電気二重層コンデンサにおけるコンデンサ素子の要部を拡大して示した断面図である。
【図５】図５（ａ）および図５（ｂ）は図４に示したコンデンサ素子の他の要部を拡大して示した断面図である。
【図６】図１に示した電気二重層コンデンサにおけるコンデンサ素子において、陽極体、陰極体およびセパレータの一部を引き出した状態での斜視図である。
【図７】図１に示した電気二重層コンデンサにおけるコンデンサ素子の陽極体（陰極体）の要部を示す正面図である。
【図８】図１に示した電気二重層コンデンサにおけるコンデンサ素子の陽極体（陰極体）の要部を示す断面図である。
【図９】従来の電気二重層コンデンサの一例を示す分解斜視図である。
【図１０】図９に示した電気二重層コンデンサの断面図である。
【図１１】図９に示した電気二重層コンデンサにおけるコンデンサ素子において、陽極体、陰極体およびセパレータの一部を引き出した状態での斜視図である。
【図１２】図１２（ａ）ないし図１２（ｃ）は図９に示した電気二重層コンデンサにおけるコンデンサ素子の要部を示す断面図である。
【図１３】図９に示した電気二重層コンデンサにおけるコンデンサ素子において、要部を示す断面図である。
【発明を実施するための形態】
【００２２】
以下、本発明の実施の形態について説明する。
【００２３】
図１ないし図３に示した電気二重層コンデンサＸは、ダブル巻マルチタブ構造を有するものであり、コンデンサ素子１と、コンデンサ素子１を収容するケース２と、外部端子３と、絶縁部材４とを備えている。
【００２４】
コンデンサ素子１は、陽極体５、セパレータ６１、陰極体７およびセパレータ６２をこの順序で積層した状態で（図４参照）、円筒状に巻回された構造を有している。このコンデンサ素子１は、外周面に貼着されたテープ１０によって巻回状態が維持されており、電解液を含浸させた状態でケース２に収容されている。
【００２５】
図１、図４および図５（ａ）に示すように、陽極体５は、第１および第２陽極集電体５１，５２と、分極性電極層５３，５４と、複数の陽極集電タブ対５５，５６と、を含んでいる。
【００２６】
第１および第２陽極集電体５１，５２は、分極性電極層５３，５４が形成されていない片面において、陽極集電タブ対５５，５６が介在する部分を除いた大部分が互いに接触しており、ダブル巻とされている。各陽極集電体５１，５２は、アルミニウム箔等の金属箔からなり、その厚みは２０〜５０μｍ程度とされている。
【００２７】
各分極性電極層５３，５４は、活性炭粉末を有する組成物で構成されており、第１および第２陽極集電体５１，５２の片面に形成されている。これらの分極性電極層５３，５４は、例えば第１および第２陽極集電体５１，５２の片面に、活性炭スラリーを一定の厚さで塗布した後に乾燥させることによって形成される。活性炭スラリーとしては、例えば活性炭粉末、カーボンブラック、およびフッ素系樹脂バインダーを含むものが使用される。
【００２８】
図１、図３および図５（ａ）に示すように、各陽極集電タブ対５５，５６は、第１陽極集電タブ５５Ａ，５６Ａおよび第２陽極集電タブ５５Ｂ，５６Ｂを含んでいる。
【００２９】
第１陽極集電タブ５５Ａ，５６Ａは、第１陽極集電体５１の他の片面（分極性電極層５３が形成されていない片面）に固定され、巻回されることで第２陽極集電体５２の他の片面（分極性電極層５４が形成されていない片面）に圧接されており、一端部側が第１および第２陽極集電体５１，５２から突出している。第１陽極集電タブ５５Ａ，５６Ａにおける集電体５１，５２から突出した端部は、屈曲されて外部端子３における陽極端子３１と接続されている（図３参照）。これに対して、第２陽極集電タブ５５Ｂ，５６Ｂは、第２陽極集電体５２の他の片面（分極性電極層５４が形成されていない片面）に固定され、巻回されることで第１陽極集電体５１の他の片面（分極性電極層５３が形成されていない片面）に圧接されており、一端部側が第１および第２陽極集電体５１，５２から突出している。第２陽極集電タブ５５Ｂ，５６Ｂにおける集電体５１，５２から突出した端部は、屈曲されて外部端子３における陽極端子３１と接続されている（図３参照）。すなわち、第１陽極集電タブ５５Ａ，５６Ａおよび第２陽極集電タブ５５Ｂ，５６Ｂは、第１陽極集電体５１および第２陽極集電体５２の双方に導通しているとともに、外部端子３（陽極端子３１）に接続されている。これらの陽極集電タブ５５Ａ，５５Ｂ，５６Ａ，５６Ｂは、例えばアルミニウムなどの金属によって厚さが１００〜２００μｍ程度に形成されており、コールド加締、針穴加締、超音波溶接、レーザー溶接あるいは抵抗溶接等の手法によって、第１または第２陽極集電体５１，５２の他の片面（分極性電極層５３，５４が形成されていない片面）に固定されている。
【００３０】
図６および図７に示したように、各陽極集電タブ対５５，５６では、第１陽極集電タブ５５Ａ，５６Ａと第２陽極集電タブ５５Ｂ，５６Ｂとは、陽極体５の非巻回状態において互いに位置ずれしている。好ましくは、陽極集電タブ対５５の第１陽極集電タブ５５Ａと陽極集電タブ対５６の第１陽極集電タブ５６Ａとの間に、陽極集電タブ対５５の第２陽極集電タブ５５Ｂまたは陽極集電タブ対５６の第２陽極集電タブ５６Ｂが位置している。その一方で、図２、図５（ａ）および図８に示したように、各陽極集電タブ対５５（５６）における第１陽極集電タブ５５Ａ（５６Ａ）と第２陽極集電タブ５５Ｂ（５６Ｂ）は、陽極体５を陰極体７やセパレータ６１，６２等とともに巻回したコンデンサ素子１の状態では、少なくとも第２陽極集電体５２、セパレータ６１、陰極体７および第１陽極集電体５１を介した状態で離間しているとともに、互いに対向した位置関係となっている。なお、第１陽極集電タブ５５Ａ，５６Ａと第２陽極集電タブ５５Ｂ，５６Ｂとは、非巻回状態におけるこれらの集電タブ５５Ａ（５６Ａ），５５Ｂ（５６Ｂ）の位置関係を適宜設定することにより互いに離間した状態で対向させることができ、その離間距離Ｌ１も同様に、非巻回状態における第１陽極集電タブ５５Ａ（５６Ａ）と第２陽極集電タブ５５Ｂ（５６Ｂ）との距離を調整することにより調節することができる。
【００３１】
図１、図４および図５（ｂ）に示すように、陰極体７は、陽極体５と同様な構成であり、第１および第２陰極集電体７１，７２と、分極性電極層７３，７４と、複数の陰極集電タブ対７５，７６と、を含んでいる。
【００３２】
第１および第２陽極集電体７１，７２は、分極性電極層７３，７４が形成されていない片面において、陰極集電タブ対７５，７６が介在する部分を除いた大部分が互いに接触しており、ダブル巻とされている。各陰極集電体７１，７２は、陽極集電体５１，５２と同様にアルミニウム箔などの金属箔で形成されている。また、各分極性電極層７３，７４は、陽極体５の分極性電極層５３，５４と同様な構成を有するとともに同様な手法により形成されている。
【００３３】
図１、図３および図５（ｂ）に示すように、各陰極集電タブ対７５，７６は、第１陰極集電タブ７５Ａ，７６Ａおよび第２陰極集電タブ７５Ｂ，７６Ｂを含んでいる。第１陰極集電タブ７５Ａ，７６Ａは、第１陰極集電体７１の片面（分極性電極層７３が形成されていない片面）に固定され、巻回されることで第２陰極集電体７２の片面（分極性電極層７４が形成されていない片面）に圧接されており、一端部側が第１および第２陰極集電体７１，７２から突出している。第１陰極集電タブ７５Ａ，７６Ａにおける集電体７１，７２から突出した端部は、クランク状に屈曲されて外部端子３における陰極端子３２と接続されている。これに対して、第２陰極集電タブ７５Ｂ，７６Ｂは、第２陰極集電体７２の片面（分極性電極層７４が形成されていない片面）に固定され、巻回されることで第１陰極集電体７１の片面（分極性電極層７３が形成されていない片面）に圧接されており、一端部側が第１および第２陰極集電体７１，７２から突出している。第２陰極集電タブ７５Ｂ，７６Ｂにおける集電体７１，７２から突出した端部は、クランク状に屈曲されて外部端子３における陰極端子３２と接続されている。すなわち、第１陰極集電タブ７５Ａ，７６Ａおよび第２陰極集電タブ７５Ｂ，７６Ｂは、第１陰極集電体７１および第２陰極集電体７２の双方に導通しているとともに、外部端子３（陰極３２）に接続されている。これらの陰極集電タブ７５Ａ，７５Ｂ，７６Ａ，７６Ｂは、例えばアルミニウムなどの金属によって厚さが１００〜２００μｍ程度に形成されており、コールド加締、針穴加締、超音波溶接あるいは抵抗溶接等の手法によって、第１または第２陰極集電体７１，７２の他の片面（分極性電極層７３，７４が形成されていない片面）に固定されている。
【００３４】
図６および図７に示したように、各陰極集電タブ対７５，７６では、第１陰極集電タブ７５Ａ，７６Ａと第２陰極集電タブ７５Ｂ，７６Ｂとは、陰極体７の非巻回状態において互いに位置ずれしている。好ましくは、陰極集電タブ対７５の第１陰極集電タブ７５Ａと陰極集電タブ対７６の第１陰極集電タブ７６Ａとの間に、陰極集電タブ対７５の第２陰極集電タブ７５Ｂまたは陰極集電タブ対７６の第２陰極集電タブ７６Ｂが位置している。その一方で、図２、図５（ｂ）および図８に示したように、各陰極集電タブ対７５（７６）における第１陰極集電タブ７５Ａ（７６Ａ）と第２陰極集電タブ７５Ｂ（７６Ｂ）は、陽極体５を陰極体７やセパレータ６１，６２等とともに巻回したコンデンサ素子１の状態では、少なくとも第２陰極集電体７２、セパレータ６２、陽極体５および第１陰極集電体７１を介した状態で離間しているとともに、互いに対向した位置関係となっている。なお、第１陰極集電タブ７５Ａ，７６Ａと第２陰極集電タブ７５Ｂ，７６Ｂとは、非巻回状態におけるこれらの集電タブ７５Ａ（７６Ａ），７５Ｂ（７６Ｂ）の位置関係を適宜設定することにより互いに離間した状態で対向させることができ、その離間距離Ｌ２も同様に、非巻回状態における第１陰極集電タブ７５Ａ（７６Ａ）と第２陰極集電タブ７５Ｂ（７６Ｂ）との距離を調整することにより調節することができる。
【００３５】
図１および図４に示したように、セパレータ６１，６２は、陽極体５と陽極体７とが短絡するのを防止するためのものであり、多孔質体に電解液を含浸させたものである。多孔質体としては、例えばセルロース繊維紙が使用される。電解液としては、例えば１ｍｏｌ／Ｌのテトラエチルアンモニウムテトラフルオロボレートを溶解したプロピレンカーボネート溶液が使用される。
【００３６】
図１ないし図３に示したケース２は、アルミニウム等の軽金属を素材として作製されたものであり、有底円筒形状をなしている。
【００３７】
外部端子３は、陽極端子３１および陰極端子３２を含んでいる。これらの端子３１，３２は、端部３１ａ，３１ｂ，３２ａ，３２ｂが露出するように絶縁部材４に固定されている。陽極端子３１および陰極端子３２は、例えばねじ形の端子であり、この場合には絶縁部材４に対して螺合されて固定される。陽極端子３１の端部３１ｂは、コンデンサ素子１の陽極集電タブ５５Ａ，５５Ｂ，５６Ａ，５６Ｂに接続され、または接触させられ、陰極端子４２の端部３２ｂは、コンデンサ素子１の陰極集電タブ７５Ａ，７５Ｂ，７６Ａ，７６Ｂに接続され、または接触させられている。なお、図面においては、端部３１ｂ，３２ｂは、陽極集電タブ５５Ａ，５５Ｂ，５６Ａ，５６Ｂまたは陰極集電タブ７５Ａ，７５Ｂ，７６Ａ，７６Ｂに直接接続され、または接触させられているが、導体板などを介して、陽極集電タブ５５Ａ，５５Ｂ，５６Ａ，５６Ｂまたは陰極集電タブ７５Ａ，７５Ｂ，７６Ａ，７６Ｂに関節的に接続または接触させてもよい。また、陽極端子３１および陰極端子３２は、ねじ形の端子に限らず、他の形態のものであってもよい。
【００３８】
絶縁部材４は、外部端子３とケース２との間の絶縁性を維持しつつ、外部端子３が陽極集電タブ５５Ａ，５５Ｂ，５６Ａ，５６Ｂおよび陰極集電タブ７５Ａ，７５Ｂ，７６Ａ，７６Ｂに導通した状態を維持するものである。この絶縁部材４は、絶縁性を有する合成樹脂等により形成されている。
【００３９】
電気二重層コンデンサＸでは、図６および図７に示したように陽極体５および陰極体７の非巻回状態において、第１陽極集電タブ５５Ａ，５６Ａと第２陽極集電タブ５５Ｂ，５６Ｂとが位置ずれし、第１陰極集電タブ７５Ａ，７６Ａと第２陰極集電タブ７５Ｂ，７６Ｂとが位置ずれしている。そのため、陽極体５および陰極体７の巻回状態では、陽極集電体５５，５６と陽極集電タブ５５Ａ，５５Ｂ，５６Ａ，５６Ｂとの間の集電ポイントを分散させ、また陰極集電体７５，７６と陰極集電タブ７５Ａ，７５Ｂ，７６Ａ，７６Ｂとの間の集電ポイントを分散させることができる。したがって、電気二重層コンデンサＸでは、集電ポイントを分散させることによって、充放電時における集電体５５，５６，７５，７６による内部抵抗を低減することができる。
【００４０】
電気二重層コンデンサＸではさらに、全ての集電タブ５５，５６，７５，７６が適度な間隔を保って配置されるため、隣接する集電タブ５５，５６，７５，７６間における集電体５１，５２，７１，７２での周方向の距離を適切化することができる。そのため、隣接する集電タブ５５，５６，７５，７６間における集電体５１，５２，７１，７２による内部抵抗を適切に小さくすることが可能となる。また、電気二重層コンデンサＸでは、陽極集電タブ５５Ａ，５５Ｂ，５６Ａ，５６Ａが第１および第２陽極集電体５１，５２の双方に導通している一方で、陰極集電タブ７５Ａ，７５Ｂ，７６Ａ，７６Ａが第１および第２陰極集電体７１，７２の双方に導通している。そのため、電気二重層コンデンサＸは、各集電タブ５５，５６，７５，７６のそれぞれにおいて、２つの集電体５１，５２，７１，７２との間で導電経路を確保することができるため、この点においても内部抵抗を低減することができる
【００４１】
また、図２、図５（ａ）、図５（ｂ）および図８に示したように、電気二重層コンデンサＸでは、第１陽極集電タブ５５Ａ，５６Ａと第２陽極集電タブ５５Ｂ，５６Ｂとが、また第１陰極集電タブ７５Ａ，７６Ａと第２陰極集電タブ７５Ｂ，７６Ｂとが接触することなく互いに離間している。そのため、集電タブ５５，５６，７５，７６相互は、陽極体５および陰極体７との固定部分が互いに接触した状態で重なり合うことはない。したがって、対をなす陽極集電タブまたは陰極集電ダブどうしが同一箇所において接触した状態で重なり合う従来の電気二重層コンデンサＹ（図９および図１３参照）に比べて、集電タブ５５，５６，７５，７６に起因する集電体５１，５２，７１，７２等へのストレスを、タブ一枚分の厚みとすることができるため、陽極体５や陽極体７、セパレータ６１，６２に作用するストレスを軽減することができる。
【００４２】
本発明は、以上に説明した実施の形態には限定されず、種々に変更可能である。たとえば、上述の例では、陽極集電タブ対および陰極集電タブ対はそれぞれ２組ずつであったが、タブ対は３組以上であってもよく、コンデンサ素子のサイズ等に応じて適宜設定すればよい。
【００４３】
また、上述の例では、分極性電極層は、第１および第２陽極集電体の片面に、活性炭スラリーを一定の厚さで塗布した後に乾燥させることによって形成したが、電極として、他に、活性炭、カーボンブラックおよびバインダーを混練し、シート状に成型した分極性電極層を集電体に貼り付けたシート電極や、活性炭素繊維を布状に成型したものを集電体に貼り付けた電極を使用してもよい。
【符号の説明】
【００４４】
Ｘ  電気二重層コンデンサ
１  コンデンサ素子
２  ケース
３  外部端子
４  絶縁部材
１０  テープ
３１  陽極端子
３２  陰極端子
５  陽極体
５１  第１陽極集電体
５２  第２陽極集電体
５５，５６  陽極集電タブ対
５５Ａ，５６Ａ  第１陽極集電タブ
５５Ｂ，５６Ｂ  第２陽極集電タブ
６１，６２  セパレータ
７  陰極体
７１  第１陰極集電体
７２  第２陰極集電体
７５，７６  陰極集電タブ対
７５Ａ，７６Ａ  第１陰極集電タブ
７５Ｂ，７６Ｂ  第２陰極集電タブ
【図１】
0005735368.tif 000002
【図２】
0005735368.tif 000003
【図３】
0005735368.tif 000004
【図４】
0005735368.tif 000005
【図５】
0005735368.tif 000006
【図６】
0005735368.tif 000007
【図７】
0005735368.tif 000008
【図８】
0005735368.tif 000009
【図９】
0005735368.tif 000010
【図１０】
0005735368.tif 000011
【図１１】
0005735368.tif 000012
【図１２】
0005735368.tif 000013
【図１３】
0005735368.tif 000014